(57)【要約】【課題】通信端末側の１つのアプリケーションがログインした後は、他のアプリケーションによるログイン処理を軽減させるようにしたログイン管理装置を提供する。【解決手段】ログイン管理装置のログイン状態記憶手段は、通信端末を一意に識別する端末識別子毎に、サービス処理装置におけるサービスを一意に識別するサービス処理識別子と、該通信端末の利用者が該サービスにおいてログインしているか否かを対応させて記憶し、第１の受付手段は、前記通信端末から該通信端末の端末識別子とサービス処理識別子を受け付け、判断手段は、前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断し、第１の送信手段は、前記判断手段による判断結果を前記通信端末に送信する。【選択図】図１
2010128828.tif 000002
【特許請求の範囲】
【請求項１】
通信端末と該通信端末に対してサービスを提供するサービス処理装置と該サービス処理装置のサービスにおけるログインを管理するログイン管理装置を有する情報処理システムであって、
前記ログイン管理装置は、
前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段と、
前記通信端末から該通信端末の端末識別子とサービス処理識別子を受け付ける第１の受付手段と、
前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断する判断手段と、
前記判断手段による判断結果を前記通信端末に送信する第１の送信手段
を具備し、
前記通信端末は、
前記ログイン管理装置に対して該通信端末の端末識別子とサービス処理識別子を送信する端末識別子送信手段と、
前記ログイン管理装置から、前記サービス処理識別子で識別されるサービスに、前記端末識別子で識別される通信端末の利用者がログインしているか否かの判断結果を受け付ける判断結果受付手段と、
前記判断結果受付手段によって受け付けられた判断結果がログインしていることを示すものである場合は、前記サービス処理装置に対してサービスを要求するサービス要求手段
を具備し、
前記サービス処理装置は、
前記通信端末からのサービスの要求に従って、該サービスを提供するサービス提供手段
を具備することを特徴とする情報処理システム。
【請求項２】
前記ログイン管理装置の前記第１の送信手段は、前記判断手段によってログインしていないと判断された場合は、前記第１の受付手段によって受け付けられたサービス処理識別子で識別されるサービスに対するログイン識別子とパスワードの要求を送信し、
前記ログイン管理装置はさらに、
前記通信端末からログイン識別子とパスワードを受け付ける第２の受付手段と、
前記第２の受付手段によって受け付けられたログイン識別子とパスワードを、前記第１の受付手段によって受け付けられたサービス処理識別子によって識別されるサービスを提供するサービス処理装置に送信する第２の送信手段と、
前記サービス処理装置から、前記第２の送信手段によって送信されたログイン識別子とパスワードの照合結果を受け付ける第３の受付手段と、
前記第３の受付手段によって受け付けられた照合結果が照合したことを示すものである場合は、前記ログイン状態記憶手段に、前記サービス処理装置におけるサービスに前記通信端末の利用者がログインしていることを記憶させるログイン状態管理手段
を具備し、
前記通信端末はさらに、
前記ログイン管理装置からログイン識別子とパスワードの要求を受け取った場合は、ログイン識別子とパスワードを該ログイン管理装置に送信するログイン識別子送信手段
を具備し、
前記サービス処理装置はさらに、
前記ログイン管理装置からログイン識別子とパスワードを受け付けるログイン識別子受信手段と、
前記ログイン識別子受信手段によって受信されたログイン識別子とパスワードは照合するか否かを判断する照合手段と、
前記照合手段による照合結果を前記ログイン管理装置に送信する照合結果送信手段
を具備することを特徴とする請求項１に記載の情報処理システム。
【請求項３】
通信端末と該通信端末に対してサービスを提供するサービス処理装置に通信可能に接続されており、該サービス処理装置のサービスにおけるログインを管理するログイン管理装置であって、
前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段と、
前記通信端末から該通信端末の端末識別子とサービス処理識別子を受け付ける第１の受付手段と、
前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断する判断手段と、
前記判断手段による判断結果を前記通信端末に送信する第１の送信手段
を具備することを特徴とするログイン管理装置。
【請求項４】
前記第１の送信手段は、前記判断手段によってログインしていないと判断された場合は、前記第１の受付手段によって受け付けられたサービス処理識別子で識別されるサービスに対するログイン識別子とパスワードの要求を送信し、
さらに、
前記通信端末からログイン識別子とパスワードを受け付ける第２の受付手段と、
前記第２の受付手段によって受け付けられたログイン識別子とパスワードを、前記第１の受付手段によって受け付けられたサービス処理識別子によって識別されるサービスを提供するサービス処理装置に送信する第２の送信手段と、
前記サービス処理装置から、前記第２の送信手段によって送信されたログイン識別子とパスワードの照合結果を受け付ける第３の受付手段と、
前記第３の受付手段によって受け付けられた照合結果が照合したことを示すものである場合は、前記ログイン状態記憶手段に、前記サービス処理装置におけるサービスに前記通信端末の利用者がログインしていることを記憶させるログイン状態管理手段
を具備することを特徴とする請求項３に記載のログイン管理装置。
【請求項５】
通信端末と該通信端末に対してサービスを提供するサービス処理装置に通信可能に接続されており、該サービス処理装置のサービスにおけるログインを管理するログイン管理装置が行うログイン管理方法であって、
前記ログイン管理装置は、
前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段
を具備し、
前記通信端末から該通信端末の端末識別子とサービス処理識別子を受け付ける第１の受付ステップと、
前記ログイン状態記憶手段に基づいて、前記第１の受付ステップによって受け付けられたサービス処理識別子で識別されるサービスに、前記第１の受付ステップによって受け付けられた端末識別子で識別される通信端末の利用者がログインしているか否かを判断する判断ステップと、
前記判断ステップによる判断結果を前記通信端末に送信する第１の送信ステップ
を具備することを特徴とするログイン管理方法。
【請求項６】
前記第１の送信ステップは、前記判断ステップによってログインしていないと判断された場合は、前記第１の受付ステップによって受け付けられたサービス処理識別子で識別されるサービスに対するログイン識別子とパスワードの要求を送信し、
前記通信端末からログイン識別子とパスワードを受け付ける第２の受付ステップと、
前記第２の受付ステップによって受け付けられたログイン識別子とパスワードを、前記第１の受付ステップによって受け付けられたサービス処理識別子によって識別されるサービスを提供するサービス処理装置に送信する第２の送信ステップと、
前記サービス処理装置から、前記第２の送信ステップによって送信されたログイン識別子とパスワードの照合結果を受け付ける第３の受付ステップと、
前記第３の受付ステップによって受け付けられた照合結果が照合したことを示すものである場合は、前記ログイン状態記憶手段に、前記サービス処理装置におけるサービスに前記通信端末の利用者がログインしていることを記憶させるログイン状態管理ステップ
を具備することを特徴とする請求項５に記載のログイン管理方法。
【請求項７】
通信端末と該通信端末に対してサービスを提供するサービス処理装置に通信可能に接続されており、該サービス処理装置のサービスにおけるログインを管理するログイン管理装置で動作するログイン管理プログラムであって、
前記ログイン管理装置を、
前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段と、
前記通信端末から該通信端末の端末識別子とサービス処理識別子を受け付ける第１の受付手段と、
前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断する判断手段と、
前記判断手段による判断結果を前記通信端末に送信する第１の送信手段
として機能させることを特徴とするログイン管理プログラム。
【請求項８】
前記第１の送信手段は、前記判断手段によってログインしていないと判断された場合は、前記第１の受付手段によって受け付けられたサービス処理識別子で識別されるサービスに対するログイン識別子とパスワードの要求を送信し、
前記ログイン管理装置をさらに、
前記通信端末からログイン識別子とパスワードを受け付ける第２の受付手段と、
前記第２の受付手段によって受け付けられたログイン識別子とパスワードを、前記第１の受付手段によって受け付けられたサービス処理識別子によって識別されるサービスを提供するサービス処理装置に送信する第２の送信手段と、
前記サービス処理装置から、前記第２の送信手段によって送信されたログイン識別子とパスワードの照合結果を受け付ける第３の受付手段と、
前記第３の受付手段によって受け付けられた照合結果が照合したことを示すものである場合は、前記ログイン状態記憶手段に、前記サービス処理装置におけるサービスに前記通信端末の利用者がログインしていることを記憶させるログイン状態管理手段
として機能させることを特徴とする請求項７に記載のログイン管理プログラム。
【発明の詳細な説明】
【技術分野】
【０００１】
本発明は、通信端末と該通信端末に対してサービスを提供するサービス処理装置と該サービス処理装置におけるログインを管理するログイン管理装置を有する情報処理システム、ログイン管理装置、ログイン管理方法及びログイン管理プログラムに関する。
【背景技術】
【０００２】
携帯電話端末等の通信端末では、データ通信を用いて、サーバが提供しているサービスの提供を受けるものがある。そのため、利用者はそのサービスにログインする必要がある。
一方、携帯電話端末等は、特定の一人に所有されているのが一般的である。
【０００３】
これに関連する技術として、例えば、特許文献１には、ワンタイムパスワードを用いた簡便な認証方法を提供することを課題とし、ユーザの携帯電話機からのアクセス要求に含まれる固有の識別情報をユーザテーブルの情報と照合する第１の認証手段と、前記携帯電話機の位置情報を取得する位置情報取得手段と、この位置情報を含んで暗号化したワンタイムパスワードを作成し、アクセスログに保存するとともに当該ユーザのメールアドレスへ送信するワンタイムパスワード生成手段と、前記ユーザ端末からのアクセスを受けて前記ワンタイムパスワードを照合する第２の認証手段と、前記携帯電話機の現在位置情報を再取得して前記ワンタイムパスワードから抽出される位置情報と比較する位置確認手段と、この位置確認において前記携帯電話機の位置に所定以上の隔たりがある場合に認証エラー又は所定の警告処理を行う警告処理手段とを設けて認証システムを構成することが開示されている。
【０００４】
また、例えば、特許文献２には、ユーザが所有する通信機を用いてユーザ認証を行う際にユーザが行う必要がある操作を減らすことを課題とし、コール部が、ユーザＩＤを受信するとそれぞれユーザＩＤ対応リストを用いてユーザＩＤに対応するユーザ側通信機の固有ＩＤを取得するとともに、それぞれ発信番号選択部を用いて発信番号をランダムに１つ選び出し、選び出した発信番号からユーザＩＤに対応するユーザ側通信機の固有ＩＤにシステム側通信機を介して所定の回数コールし、所定の回数のコール終了後にユーザ側通信機のコールバック部がユーザの指示に基づいてコールバックすると、コール部がシステム側通信機を介して受け取ったコールバックの固有ＩＤとコール先の固有ＩＤに基づいてユーザ認証を行うよう構成することが開示されている。
【０００５】
また、例えば、特許文献３には、画面表示サービスと電話サービスとを組み合わせて新しいサービスを提供する場合、両者の連係をとるための利用者の特定を着信番号で行うことにより、電話端末の利用操作を容易とし、データベースの検索を高速に、かつ、プライバシを守ることを課題とし、インターネット接続可能な電話端末が電話網及びＩＰ網を介して接続され、電話端末からメディア情報検索のための電話サービス接続要求を受信したときに、複数ある着信回線の中から特定の１つを割付け、その着信番号を通知する着信番号設定通知部と、電話端末から着信番号に基づく呼を受信したときに利用者を特定し、利用者の要求を音声認識して当該要求に応じたメディア情報検索を行い、その検索結果を回答するメディア情報検索結果回答手段とを備えることが開示されている。
【特許文献１】特開２００７−２６４８３５号公報
【特許文献２】特開２００８−１５９３２号公報
【特許文献３】特開２００３−１５０５５５号公報
【発明の開示】
【発明が解決しようとする課題】
【０００６】
しかしながら、このような従来の技術では、通信端末の利用者が、データ通信を用いて、サーバが提供しているサービスの提供を受けるために、ログインする場合に、通信端末側のアプリケーション毎にログインが必要になる。
例えば、多くのＷｅｂサービスの場合Ｗｅｂブラウザのクッキー機能（Ｃｏｏｋｉｅ）による認証を行っているが、クッキー機能はセキュリティの観点から通信端末のアプリケーション間で共有することができないためＷｅｂサービスを利用するアプリケーション毎にログインをしなくてはならない。特に、入力インタフェースに乏しい携帯電話端末の様な通信端末では利便性が損なわれてしまう。
【０００７】
また、通信端末の複数のアプリケーションで１つのサービスにログインしている場合、その中の１つのアプリケーションがログアウトしたとき、それ以前にログインしていたアプリケーションもログアウトしてしまうことになり、再度ログイン処理が必要となってしまうケースが発生する。
【０００８】
ログインに関する識別子とパスワードを携帯電話端末の様に持ち歩く通信端末内のアプリケーションで管理した場合、セキュリティ上の問題がある。
【０００９】
本発明は、このような従来の技術が有する問題点に着目してなされたもので、ログイン管理装置が、通信端末のサービスに対するログインを管理して、通信端末側の１つのアプリケーションがログインした後は、他のアプリケーションによるログイン処理を軽減し、他のアプリケーションによるログアウト処理に影響されることなく、サービスの提供を受けることができ、さらに、通信端末での識別子とパスワードの管理を不要として、セキュリティを向上させるようにした情報処理システム、ログイン管理装置、ログイン管理方法及びログイン管理プログラムを提供することを目的としている。
【課題を解決するための手段】
【００１０】
かかる目的を達成するための本発明の要旨とするところは、次の各項の発明に存する。
［１］  通信端末と該通信端末に対してサービスを提供するサービス処理装置と該サービス処理装置のサービスにおけるログインを管理するログイン管理装置を有する情報処理システムであって、前記ログイン管理装置は、前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段と、前記通信端末から該通信端末の端末識別子とサービス処理識別子を受け付ける第１の受付手段と、前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断する判断手段と、前記判断手段による判断結果を前記通信端末に送信する第１の送信手段を具備し、前記通信端末は、前記ログイン管理装置に対して該通信端末の端末識別子とサービス処理識別子を送信する端末識別子送信手段と、前記ログイン管理装置から、前記サービス処理識別子で識別されるサービスに、前記端末識別子で識別される通信端末の利用者がログインしているか否かの判断結果を受け付ける判断結果受付手段と、前記判断結果受付手段によって受け付けられた判断結果がログインしていることを示すものである場合は、前記サービス処理装置に対してサービスを要求するサービス要求手段を具備し、前記サービス処理装置は、前記通信端末からのサービスの要求に従って、該サービスを提供するサービス提供手段を具備することを特徴とする情報処理システム。
【００１１】
［２］  前記ログイン管理装置の前記第１の送信手段は、前記判断手段によってログインしていないと判断された場合は、前記第１の受付手段によって受け付けられたサービス処理識別子で識別されるサービスに対するログイン識別子とパスワードの要求を送信し、前記ログイン管理装置はさらに、前記通信端末からログイン識別子とパスワードを受け付ける第２の受付手段と、前記第２の受付手段によって受け付けられたログイン識別子とパスワードを、前記第１の受付手段によって受け付けられたサービス処理識別子によって識別されるサービスを提供するサービス処理装置に送信する第２の送信手段と、前記サービス処理装置から、前記第２の送信手段によって送信されたログイン識別子とパスワードの照合結果を受け付ける第３の受付手段と、前記第３の受付手段によって受け付けられた照合結果が照合したことを示すものである場合は、前記ログイン状態記憶手段に、前記サービス処理装置におけるサービスに前記通信端末の利用者がログインしていることを記憶させるログイン状態管理手段を具備し、前記通信端末はさらに、前記ログイン管理装置からログイン識別子とパスワードの要求を受け取った場合は、ログイン識別子とパスワードを該ログイン管理装置に送信するログイン識別子送信手段を具備し、前記サービス処理装置はさらに、前記ログイン管理装置からログイン識別子とパスワードを受け付けるログイン識別子受信手段と、前記ログイン識別子受信手段によって受信されたログイン識別子とパスワードは照合するか否かを判断する照合手段と、前記照合手段による照合結果を前記ログイン管理装置に送信する照合結果送信手段を具備することを特徴とする［１］に記載の情報処理システム。
【００１２】
［３］  通信端末と該通信端末に対してサービスを提供するサービス処理装置に通信可能に接続されており、該サービス処理装置のサービスにおけるログインを管理するログイン管理装置であって、前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段と、前記通信端末から該通信端末の端末識別子とサービス処理識別子を受け付ける第１の受付手段と、前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断する判断手段と、前記判断手段による判断結果を前記通信端末に送信する第１の送信手段を具備することを特徴とするログイン管理装置。
【００１３】
［４］  前記第１の送信手段は、前記判断手段によってログインしていないと判断された場合は、前記第１の受付手段によって受け付けられたサービス処理識別子で識別されるサービスに対するログイン識別子とパスワードの要求を送信し、さらに、前記通信端末からログイン識別子とパスワードを受け付ける第２の受付手段と、前記第２の受付手段によって受け付けられたログイン識別子とパスワードを、前記第１の受付手段によって受け付けられたサービス処理識別子によって識別されるサービスを提供するサービス処理装置に送信する第２の送信手段と、前記サービス処理装置から、前記第２の送信手段によって送信されたログイン識別子とパスワードの照合結果を受け付ける第３の受付手段と、前記第３の受付手段によって受け付けられた照合結果が照合したことを示すものである場合は、前記ログイン状態記憶手段に、前記サービス処理装置におけるサービスに前記通信端末の利用者がログインしていることを記憶させるログイン状態管理手段を具備することを特徴とする［３］に記載のログイン管理装置。
【００１４】
［５］  通信端末と該通信端末に対してサービスを提供するサービス処理装置に通信可能に接続されており、該サービス処理装置のサービスにおけるログインを管理するログイン管理装置が行うログイン管理方法であって、前記ログイン管理装置は、前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段を具備し、前記通信端末から該通信端末の端末識別子とサービス処理識別子を受け付ける第１の受付ステップと、前記ログイン状態記憶手段に基づいて、前記第１の受付ステップによって受け付けられたサービス処理識別子で識別されるサービスに、前記第１の受付ステップによって受け付けられた端末識別子で識別される通信端末の利用者がログインしているか否かを判断する判断ステップと、前記判断ステップによる判断結果を前記通信端末に送信する第１の送信ステップを具備することを特徴とするログイン管理方法。
【００１５】
［６］  前記第１の送信ステップは、前記判断ステップによってログインしていないと判断された場合は、前記第１の受付ステップによって受け付けられたサービス処理識別子で識別されるサービスに対するログイン識別子とパスワードの要求を送信し、前記通信端末からログイン識別子とパスワードを受け付ける第２の受付ステップと、前記第２の受付ステップによって受け付けられたログイン識別子とパスワードを、前記第１の受付ステップによって受け付けられたサービス処理識別子によって識別されるサービスを提供するサービス処理装置に送信する第２の送信ステップと、前記サービス処理装置から、前記第２の送信ステップによって送信されたログイン識別子とパスワードの照合結果を受け付ける第３の受付ステップと、前記第３の受付ステップによって受け付けられた照合結果が照合したことを示すものである場合は、前記ログイン状態記憶手段に、前記サービス処理装置におけるサービスに前記通信端末の利用者がログインしていることを記憶させるログイン状態管理ステップを具備することを特徴とする［５］に記載のログイン管理方法。
【００１６】
［７］  通信端末と該通信端末に対してサービスを提供するサービス処理装置に通信可能に接続されており、該サービス処理装置のサービスにおけるログインを管理するログイン管理装置で動作するログイン管理プログラムであって、前記ログイン管理装置を、前記通信端末を一意に識別する端末識別子と、前記サービス処理装置におけるサービスを一意に識別するサービス処理識別子と、該通信端末の利用者が該サービスにおいてログインしているか否かを対応させて記憶するログイン状態記憶手段と、前記通信端末から該通信端末の端末識別子とサービス処理識別子を受け付ける第１の受付手段と、前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断する判断手段と、前記判断手段による判断結果を前記通信端末に送信する第１の送信手段として機能させることを特徴とするログイン管理プログラム。
【００１７】
［８］  前記第１の送信手段は、前記判断手段によってログインしていないと判断された場合は、前記第１の受付手段によって受け付けられたサービス処理識別子で識別されるサービスに対するログイン識別子とパスワードの要求を送信し、前記ログイン管理装置をさらに、前記通信端末からログイン識別子とパスワードを受け付ける第２の受付手段と、前記第２の受付手段によって受け付けられたログイン識別子とパスワードを、前記第１の受付手段によって受け付けられたサービス処理識別子によって識別されるサービスを提供するサービス処理装置に送信する第２の送信手段と、前記サービス処理装置から、前記第２の送信手段によって送信されたログイン識別子とパスワードの照合結果を受け付ける第３の受付手段と、前記第３の受付手段によって受け付けられた照合結果が照合したことを示すものである場合は、前記ログイン状態記憶手段に、前記サービス処理装置におけるサービスに前記通信端末の利用者がログインしていることを記憶させるログイン状態管理手段として機能させることを特徴とする［７］に記載のログイン管理プログラム。
【００１８】
前記本発明は次のように作用する。
ログイン管理装置では、ログイン状態記憶手段は、通信端末から該通信端末を一意に識別する端末識別子毎に、サービス処理装置におけるサービスを一意に識別するサービス処理識別子と、該通信端末の利用者が該サービスにおいてログインしているか否かを対応させて記憶し、第１の受付手段は、前記通信端末から該通信端末の端末識別子とサービス処理識別子を受け付け、判断手段は、前記ログイン状態記憶手段に基づいて、前記第１の受付手段によって受け付けられたサービス処理識別子で識別されるサービスに、前記第１の受付手段によって受け付けられた端末識別子で識別される通信端末の利用者がログインしているか否かを判断し、第１の送信手段は、前記判断手段による判断結果を前記通信端末に送信する。
前記通信端末では、端末識別子送信手段は、前記ログイン管理装置に対して該通信端末の端末識別子とサービス処理識別子を送信し、判断結果受付手段は、前記ログイン管理装置から、前記サービス処理識別子で識別されるサービスに、前記端末識別子で識別される通信端末の利用者がログインしているか否かの判断結果を受け付け、サービス要求手段は、前記判断結果受付手段によって受け付けられた判断結果がログインしていることを示すものである場合は、前記サービス処理装置に対してサービスを要求する。
前記サービス処理装置では、サービス提供手段は、前記通信端末からのサービスの要求に従って、該サービスを提供する。
これによって、通信端末側の１つのアプリケーションがログインした後は、他のアプリケーションによるログイン処理を軽減し、他のアプリケーションによるログアウト処理に影響されることなく、サービスの提供を受けることができ、さらに、通信端末での識別子とパスワードの管理を不要として、セキュリティを向上させることができる。
【００１９】
また、前記ログイン管理装置の前記第１の送信手段は、前記判断手段によってログインしていないと判断された場合は、前記第１の受付手段によって受け付けられたサービス処理識別子で識別されるサービスに対するログイン識別子とパスワードの要求を送信し、第２の受付手段は、前記通信端末からログイン識別子とパスワードを受け付け、第２の送信手段は、前記第２の受付手段によって受け付けられたログイン識別子とパスワードを、前記第１の受付手段によって受け付けられたサービス処理識別子によって識別されるサービスを提供するサービス処理装置に送信し、第３の受付手段は、前記サービス処理装置から、前記第２の送信手段によって送信されたログイン識別子とパスワードの照合結果を受け付け、ログイン状態管理手段は、前記第３の受付手段によって受け付けられた照合結果が照合したことを示すものである場合は、前記ログイン状態記憶手段に、前記サービス処理装置における前記通信端末の利用者がログインしていることを記憶させる。
前記通信端末では、ログイン識別子送信手段は、前記ログイン管理装置からログイン識別子とパスワードの要求を受け取った場合は、ログイン識別子とパスワードを該ログイン管理装置に送信する。
前記サービス処理装置では、ログイン識別子受信手段は、前記ログイン管理装置からログイン識別子とパスワードを受け付け、照合手段は、前記ログイン識別子受信手段によって受信されたログイン識別子とパスワードは照合するか否かを判断し、照合結果送信手段は、前記照合手段による照合結果を前記ログイン管理装置に送信する。
これによって、通信端末側の１つのアプリケーションによるログインを中継して、その後は、他のアプリケーションによるログイン処理を軽減し、他のアプリケーションによるログアウト処理に影響されることなく、サービスの提供を受けることができ、さらに、通信端末での識別子とパスワードの管理を不要として、セキュリティを向上させることができる。
【発明の効果】
【００２０】
本発明にかかる情報処理システム、ログイン管理装置、ログイン管理方法及びログイン管理プログラムによれば、ログイン管理装置が、通信端末のサービスに対するログインを管理して、通信端末側の１つのアプリケーションがログインした後は、他のアプリケーションによるログイン処理を軽減し、他のアプリケーションによるログアウト処理に影響されることなく、サービスの提供を受けることができ、さらに、通信端末での識別子とパスワードの管理を不要として、セキュリティを向上させることができる。通信端末の利用者にとっては、操作性、利便性がより一層向上する。
【発明を実施するための最良の形態】
【００２１】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システム及び方法の説明をも兼ねている。ただし、説明の都合上、「記憶する」、「記憶させる」、これらと同等の文言を用いるが、これらの文言は、実施の形態がプログラムの場合は、記憶装置に記憶させるように制御するの意である。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）を含む。
また、システム又は装置とは、複数のコンピュータ、ハードウェア、装置等がネットワーク等で接続されて構成されるほか、１つのコンピュータ、ハードウェア、装置等によって実現される場合も含まれる。
【００２２】
サービスとは、通信端末の利用者に対して提供する機能、処理等をいい、具体的には、サーバでのメール送受信処理、天気予報処理等のＷｅｂサービスがあり、また、通信端末の保守等を含んでもよい。そして、そのサービスの提供を受けるための通信端末側のアプリケーションとして、Ｗｅｂブラウザがある。
以下、通信端末として、携帯電話を主に例示して説明する。
【００２３】
本実施の形態である情報処理システムは、図１に示すように、通信端末１１０、中間サーバ１２０、サービス処理サーバ１３０を有している。これらはそれぞれ通信回線（無線、有線を問わない）によって接続されている。通信端末１１０は利用者が利用し、サービス処理サーバ１３０は通信端末１１０に対してサービスを提供し、中間サーバ１２０はサービス処理サーバ１３０のサービスにおける通信端末１１０の利用者のログインを管理する。通信端末１１０、中間サーバ１２０、サービス処理サーバ１３０は、それぞれ複数あってもよい。特に、中間サーバ１２０は、複数の通信端末１１０、複数のサービス処理サーバ１３０と接続されており、それぞれのログインを管理するのが好適である。
【００２４】
通信端末１１０は、ログイン状態記憶モジュール１１１、ログイン管理モジュール１１２、サービス要求モジュール１１３を有している。
【００２５】
ログイン状態記憶モジュール１１１は、ログイン管理モジュール１１２からアクセスされ、サービス処理サーバ１３０によって提供されているサービスに、通信端末１１０の利用者がログインして使用しているサービス（つまり、通信端末１１０のアプリケーションが現在使用しているサービス）を記憶している。ここで、記憶しているものは、例えば、ログインしているサービスのリストであり、ログインのための識別子及びパスワードを記憶している必要はない。また、ログインしているサービスとそれを使用している通信端末１１０のアプリケーションを記憶していてもよい。
【００２６】
ログイン管理モジュール１１２は、ログイン状態記憶モジュール１１１、サービス要求モジュール１１３及び中間サーバ１２０の端末通信モジュール１２１と接続されている。利用者の操作に応じて、サービス処理サーバ１３０のサービスにログインして使用しているか否かをログイン状態記憶モジュール１１１にアクセスして確認する。現在使用中である場合は、その使用を継続する。現在使用中ではない場合は、中間サーバ１２０の端末通信モジュール１２１に対して、通信端末１１０の端末識別子（通信端末１１０が携帯電話である場合は、例えば電話番号等が該当する）とサービス処理識別子を送信する。そして、中間サーバ１２０の端末通信モジュール１２１からサービス処理識別子で識別されるサービスに、端末識別子で識別される通信端末１１０の利用者がログインしているか否かの判断結果を受け付ける。中間サーバ１２０の端末通信モジュール１２１からログイン識別子とパスワードの要求を受け取った場合（ログインしていない旨を含めてもよい）は、利用者の操作に応じて、ログイン識別子とパスワードを中間サーバ１２０の端末通信モジュール１２１に送信する。
【００２７】
また、通信端末１１０では、サービスにログインするためのログイン識別子とパスワードを管理、記憶しておく必要がない。中間サーバ１２０に対して、識別子とパスワードを送信した後は、それを消去してもよい（又は記憶することをしない）。例えば、通信端末１１０を紛失してしまった場合、利用者は中間サーバ１２０の担当者に連絡して、その利用者のログインを全てロック（ログインしているサービスをログアウトし、ログイン不可に変更する）する。これによって、通信端末１１０が利用していた全てのサービスからはログアウトでき、サービスにログインするための識別子とパスワードは通信端末１１０内にはないため、通信端末１１０を悪用される危険性が減少する。
【００２８】
サービス要求モジュール１１３は、ログイン管理モジュール１１２及びサービス処理サーバ１３０のサービス処理モジュール１３２と接続されている。そして、ログイン管理モジュール１１２によって受け付けられた判断結果がログインしていることを示すものである場合又はログインした後は、サービス処理サーバ１３０のサービス処理モジュール１３２に対してサービスを要求する。
【００２９】
中間サーバ１２０は、端末通信モジュール１２１、ログイン制御モジュール１２２、端末符号記憶モジュール１２３、サーバ通信モジュール１２４を有している。
【００３０】
端末符号記憶モジュール１２３は、ログイン制御モジュール１２２からアクセスされる。通信端末１１０を一意に識別する端末識別子と、サービス処理サーバ１３０におけるサービスを一意に識別するサービス処理識別子と、通信端末１１０の利用者がそのサービスにおいてログインしているか否かを対応させて記憶する。例えば、図３の例に示すログイン状態テーブル３００を記憶していてもよい。図３は、ログイン状態テーブル３００のデータ構造例を示す説明図である。端末識別子毎に、ログイン状態テーブル３００を記憶している。ログイン状態テーブル３００は、Ｎｏ．欄３１０、Ｗｅｂサービス欄３２０、ログイン状態欄３３０を有している。Ｎｏ．欄３１０は、その行（サービスとログイン状態の対）を識別する符号を記憶する。Ｗｅｂサービス欄３２０は、サービス処理識別子を記憶する。ログイン状態欄３３０は、その端末識別子で識別される通信端末１１０の利用者が、そのサービス処理識別子で識別されるサービス処理サーバ１３０のサービスにログインしているか否かの状態を記憶する。また、図５の例に示す端末ログイン状態テーブル５００を記憶していてもよい。図５は、端末ログイン状態テーブル５００のデータ構造例を示す説明図である。端末ログイン状態テーブル５００は、Ｎｏ．欄５１０、端末番号欄５２０、Ｗｅｂサービス欄５３０、ログイン状態欄５４０を有している。つまり、ログイン状態テーブル３００に端末番号欄５２０を付加したものであり、端末番号欄５２０は、端末識別子を記憶し、その他の欄はログイン状態テーブル３００と同様である。
【００３１】
また、端末符号記憶モジュール１２３は、図４の例に示すような端末テーブル４００を記憶している。端末テーブル４００は、Ｎｏ．欄４１０、端末番号欄４２０、Ｗｅｂサービス欄４３０、ＩＤ欄４４０、パスワード欄４５０を有している。Ｎｏ．欄４１０は、その行（端末識別子とサービス処理識別子とログイン識別子とパスワードの対）を識別する符号を記憶する。端末番号欄４２０は、端末識別子を記憶する。Ｗｅｂサービス欄４３０は、サービス処理識別子を記憶する。ＩＤ欄４４０は、通信端末１１０の利用者がそのサービスにログインするためのログイン識別子を記憶する。パスワード欄４５０は、通信端末１１０の利用者がそのサービスにログインするためのパスワードを記憶する。
【００３２】
端末通信モジュール１２１は、ログイン制御モジュール１２２及び通信端末１１０のログイン管理モジュール１１２と接続されている。通信端末１１０のログイン管理モジュール１１２からその通信端末１１０の端末識別子とサービス処理識別子を受け付ける。つまり、通信端末１１０の利用者は、そのサービス処理識別子で識別されるサービスにログインしているか否かの問い合わせを受け付ける。そして、その問い合わせをログイン制御モジュール１２２に渡す。
次に、ログイン制御モジュール１２２による判断結果を通信端末１１０のログイン管理モジュール１１２に送信する。また、端末通信モジュール１２１は、ログイン制御モジュール１２２によってログインしていないと判断された場合は、前記受け付けたサービス処理識別子で識別されるサービスに対するログイン識別子とパスワードの要求を通信端末１１０のログイン管理モジュール１１２に送信する。そして、その返信として、通信端末１１０のログイン管理モジュール１１２からログイン識別子とパスワードを受け付け、ログイン制御モジュール１２２に渡す。
【００３３】
ログイン制御モジュール１２２は、端末通信モジュール１２１、端末符号記憶モジュール１２３、サーバ通信モジュール１２４と接続されている。端末符号記憶モジュール１２３に基づいて、端末通信モジュール１２１によって受け付けられたサービス処理識別子で識別されるサービスに、端末通信モジュール１２１によって受け付けられた端末識別子で識別される通信端末１１０の利用者がログインしているか否かを判断する。そして、判断結果を端末通信モジュール１２１に返す。
ログイン制御モジュール１２２は、端末通信モジュール１２１からログイン識別子とパスワードを受け付け、サーバ通信モジュール１２４に渡し、また、端末符号記憶モジュール１２３内の端末テーブル４００に記憶させる。
ログイン制御モジュール１２２は、サーバ通信モジュール１２４によって受け付けられた照合結果が照合したことを示すものである場合は、端末符号記憶モジュール１２３に、サービス処理サーバ１３０におけるサービスに通信端末１１０の利用者がログインしていることを記憶させる。
【００３４】
サーバ通信モジュール１２４は、ログイン制御モジュール１２２及びサービス処理サーバ１３０のログイン処理モジュール１３１と接続されている。ログイン制御モジュール１２２を介して、端末通信モジュール１２１によって受け付けられたログイン識別子とパスワードを、前記受け付けられたサービス処理識別子によって識別されるサービスを提供するサービス処理サーバ１３０のログイン処理モジュール１３１に送信する。そして、その返信として、サービス処理サーバ１３０のログイン処理モジュール１３１から、前記送信したログイン識別子とパスワードの照合結果を受け付ける。その照合結果をログイン制御モジュール１２２に渡す。
【００３５】
サービス処理サーバ１３０は、ログイン処理モジュール１３１、サービス処理モジュール１３２を有している。
【００３６】
ログイン処理モジュール１３１は、サービス処理モジュール１３２及び中間サーバ１２０のサーバ通信モジュール１２４と接続されている。中間サーバ１２０のサーバ通信モジュール１２４からログイン識別子とパスワードを受け付ける。次に、受信されたログイン識別子とパスワードは照合するか否かを判断する。いわゆるログイン処理である。そして、その照合結果を中間サーバ１２０のサーバ通信モジュール１２４に送信する。また、サービス処理モジュール１３２から、通信端末１１０の利用者はサービスにログインしているか否かの問い合わせを受け付け、前述の正当なログイン処理が行われていた場合は、ログインしていることを返す。
【００３７】
サービス処理モジュール１３２は、ログイン処理モジュール１３１及び通信端末１１０のサービス要求モジュール１１３と接続されている。通信端末１１０のサービス要求モジュール１１３からのサービスの要求に従って、そのサービスを提供する。その提供の前に、通信端末１１０の利用者は、そのサービスにログインしているか否かをログイン処理モジュール１３１に問い合わせ、ログインしている場合に、サービスを提供する。
したがって、サービス処理サーバ１３０は、通信端末１１０からの直接のログインを受け付けるのではなく、中間サーバ１２０を介して通信端末１１０からのログインを受け付けることとなる。
【００３８】
図２は、本実施の形態による処理例を示すフローチャートである。
ステップＳ２０２では、通信端末１１０のログイン管理モジュール１１２が、サービスを使用する旨を示す利用者の操作に応じて、通信端末１１０はサービス処理サーバ１３０のサービスを現在使用しているか否かを、ログイン状態記憶モジュール１１１を用いて確認する。使用中である場合はステップＳ２２６へ進み、それ以外の場合はステップＳ２０４へ進む。
例えば、図６（ａ）、（ｂ）に示すように、アプリケーションが通信端末１１０のディスプレイにメニュー表示画面６１０、ログイン制御モジュール１２２がサービスログイン画面６２０を表示する。この場合、サービスとしてサービス処理サーバ１３０が行うメール処理がある。表示されたメニュー表示画面６１０内のログインメニュー６１１又はサービスログイン画面６２０内のログインボタン６２１が利用者の操作に応じて選択された場合が、ステップＳ２０２の契機となる。
【００３９】
ステップＳ２０４では、通信端末１１０のログイン管理モジュール１１２が、中間サーバ１２０に対して、サービスにログイン（登録）しているか否かの確認を行う。つまり、通信端末１１０の端末識別子とサービス処理識別子を送信する。
ステップＳ２０６では、中間サーバ１２０のログイン制御モジュール１２２が、端末符号記憶モジュール１２３を用いて、通信端末１１０の利用者はサービスにログインしているか否かを検索する。
【００４０】
ステップＳ２０８では、中間サーバ１２０のログイン制御モジュール１２２が、端末通信モジュール１２１を介して通信端末１１０に対して、ログイン状況（サービスにログインしているか否か）を応答する。
ステップＳ２１０では、通信端末１１０のログイン管理モジュール１１２が、ステップＳ２０８の応答に基づいて、ログイン（登録）状況を判断する。ログイン（登録）済みの場合はステップＳ２２６へ進み、それ以外の場合はステップＳ２１２へ進む。なお、ステップＳ２１０の後であってステップＳ２１２の前に、ログイン制御モジュール１２２の応答に対応してログイン管理モジュール１１２が図６（ｂ）に示したサービスログイン画面６２０を表示するようにしてもよい。
ステップＳ２１２では、通信端末１１０のログイン管理モジュール１１２が、中間サーバ１２０に対して、ログインするように、ログイン識別子とパスワードを送信する。
例えば、図７に示すように、ログイン管理モジュール１１２が通信端末１１０のディスプレイにログイン画面７１０を表示する。ログイン画面７１０は、ＩＤ欄７１１、パスワード欄７１２、キャンセルボタン７１３、登録ボタン７１４を有している。利用者の操作によって、ＩＤ欄７１１にログイン識別子、パスワード欄７１２にパスワードが記入され、登録ボタン７１４が選択されると、そのログイン識別子とパスワードを送信する。送信後は、そのログイン識別子とパスワードを通信端末１１０内で管理することはしない（そのログイン識別子とパスワードを消去する）。なお、キャンセルボタン７１３が選択されると、記入されたログイン識別子、パスワードを消去する。
【００４１】
ステップＳ２１４では、中間サーバ１２０のログイン制御モジュール１２２が、サーバ通信モジュール１２４を介してサービス処理サーバ１３０に対して、ステップＳ２１２で受け付けたログイン識別子とパスワードを送信して、その照合依頼を行う。
ステップＳ２１６では、サービス処理サーバ１３０のログイン処理モジュール１３１が、ステップＳ２１４で受け付けたログイン識別子とパスワードを照合する。
ステップＳ２１８では、サービス処理サーバ１３０が、中間サーバ１２０に対して、ステップＳ２１６での照合結果（ログイン成功又は不可）を送信する。
【００４２】
ステップＳ２２０では、中間サーバ１２０のログイン制御モジュール１２２が、サーバ通信モジュール１２４を介して受け取ったステップＳ２１８の照合結果を判断する。ログイン成功（ＯＫ）の場合はステップＳ２２２へ進み、それ以外の場合はステップＳ２２４へ進む。
ステップＳ２２２では、中間サーバ１２０のログイン制御モジュール１２２が、端末符号記憶モジュール１２３に対して、通信端末１１０の端末番号等の登録を行う。つまり、ログイン状態テーブル３００（又は端末ログイン状態テーブル５００）、端末テーブル４００の各欄に記憶させる。
ステップＳ２２４では、中間サーバ１２０の端末通信モジュール１２１が、通信端末１１０に対して、ログイン結果（ステップＳ２１８の応答結果）を送信する。
【００４３】
ステップＳ２２６では、通信端末１１０のログイン管理モジュール１１２が、サービスに対してログイン成功したか（ログインしているか）否かを判断する。ログイン成功した（ログインしていた）場合はステップＳ２２８へ進み、それ以外の場合はサービス処理サーバ１３０によるサービスを受けられず、エラー処理（ログインできない旨の表示等）を行う。
ステップＳ２２８では、通信端末１１０のサービス要求モジュール１１３が、サービス処理サーバ１３０に対して、サービスを要求する。
ステップＳ２３０では、サービス処理サーバ１３０のサービス処理モジュール１３２が、ステップＳ２２８で要求されたサービス処理を行う。
ステップＳ２３２では、サービス処理サーバ１３０のサービス処理モジュール１３２が、通信端末１１０に対して、サービス処理の結果を送信する。
そして、例えば、図８に示すように、通信端末１１０のアプリケーションがディスプレイにサービス処理画面８２０を表示する。つまり、通信端末１１０は、ステップＳ２３２のサービス処理の結果を受け付けて、そのサービス処理の結果（「５通のメッセージが届いています」との処理結果）をメッセージ表示領域８２１に表示する。
【００４４】
本実施の形態が実装される通信端末１１０は、図９に示すような携帯電話９００であってもよい。携帯電話９００は、例えば、電話としての機能を有するように音声入力できるマイク９０５と、音声出力できるスピーカー９０４と、電話番号又はアプリケーションプログラム等の要求等により文字を入力するための文字入力装置であるキー９０２と、電波を送受信してデータ通信を行うためのアンテナ９０３と、キー９０２による文字入力の結果、アプリケーションプログラムに関する表示、ログイン管理モジュール１１２による表示等を行うディスプレイ９０１（より具体的には図６から図８で示したものを表示）等を有している。携帯電話９００内には、アプリケーションプログラム等を実行するＣＰＵ、メモリ、通信用回路等のハードウェア等が内蔵されており、通信端末１１０を実現するためのソフトウェアであるコンピュータ・プログラムをメモリに記憶させ、ソフトウェアとハードウェア資源とが協働して、通信端末１１０が実現される。
【００４５】
なお、本実施の形態としてのプログラムが実行されるコンピュータのハードウェア構成は、図１０に示すように、一般的なコンピュータであり、具体的には、通信端末１１０に組み込まれるコンピュータ、又は中間サーバ１２０、サービス処理サーバ１３０として、本実施の形態による処理以外にも多くの処理を高速に実行することができるサーバとなりうるようなコンピュータである。ログイン管理モジュール１１２、サービス要求モジュール１１３、端末通信モジュール１２１、ログイン制御モジュール１２２、サーバ通信モジュール１２４、ログイン処理モジュール１３１、サービス処理モジュール１３２等のプログラムを実行するＣＰＵ１０１０と、そのプログラムやデータを記憶するＲＡＭ１０３０と、本コンピュータを起動するためのプログラム等が格納されているＲＯＭ１０２０と、補助記憶装置であるＨＤ１０４０と、キー、キーボード、マウス等から操作者の操作によってデータを入力又はＣＲＴや液晶ディスプレイ等にデータを出力して操作者とのインタフェースとなるＵＩ／Ｆ１０５０と、ＣＤ−Ｒ等のリムーバブルメディアに対して読み書きするリムーバブルメディアリーダーライター１０６０と、通信ネットワークと接続するための通信回線Ｉ／Ｆ１０７０、そして、それらをつないでデータのやりとりをするためのバス１０８０により構成されている。これらのコンピュータが複数台互いにネットワークによって接続されていてもよい。
【００４６】
なお、前述の実施の形態では、通信端末１１０として携帯電話を例示したが、携帯電話以外にもＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等のデータ通信端末、通信機能を有しているゲーム端末、ナビゲーションシステム、情報家電等を用いてもよい。
【００４７】
なお、説明したプログラムについては、記録媒体に格納することも可能であり、その場合は、「プログラムを記録したコンピュータ読み取り可能な記録媒体」の発明としても把握することができる。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、前記のプログラム又はその一部は、前記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組合せ等の伝送媒体を用いて伝送することが可能であり、また、搬送波に乗せて搬送することも可能である。
さらに、前記のプログラムは、他のプログラムの一部分であってもよく、あるいは別個のプログラムと共に記録媒体に記録されていてもよい。
【図面の簡単な説明】
【００４８】
【図１】本発明の一実施の形態のモジュール構成例を示す図である。
【図２】本実施の形態による処理例を示すフローチャートである。
【図３】ログイン状態テーブルのデータ構造例を示す説明図である。
【図４】端末テーブルのデータ構造例を示す説明図である。
【図５】端末ログイン状態テーブルのデータ構造例を示す説明図である。
【図６】ログインに関するディスプレイの表示例を示す説明図である。
【図７】ログインに関するディスプレイの表示例を示す説明図である。
【図８】ログイン後のディスプレイの表示例を示す説明図である。
【図９】通信端末の一例である携帯電話を示す説明図である。
【図１０】本実施の形態を実現するコンピュータのハードウェア構成例を示すブロック図である。
【符号の説明】
【００４９】
１１０…通信端末
１１１…ログイン状態記憶モジュール
１１２…ログイン管理モジュール
１１３…サービス要求モジュール
１２０…中間サーバ
１２１…端末通信モジュール
１２２…ログイン制御モジュール
１２３…端末符号記憶モジュール
１２４…サーバ通信モジュール
１３０…サービス処理サーバ
１３１…ログイン処理モジュール
１３２…サービス処理モジュール
【図１】
2010128828.tif 000003
【図２】
2010128828.tif 000004
【図３】
2010128828.tif 000005
【図４】
2010128828.tif 000006
【図５】
2010128828.tif 000007
【図６】
2010128828.tif 000008
【図７】
2010128828.tif 000009
【図８】
2010128828.tif 000010
【図９】
2010128828.tif 000011
【図１０】
2010128828.tif 000012